(57)【特許請求の範囲】
【請求項１】
床パネルと、この床パネルの裏面に所定間隔をおいて固定された複数本の根太と、床パネルと根太で区画される空間において床パネルの裏面に貼着された複数枚の硬質断熱材とから構成された洋室側の断熱床パネルユニットおよび和室側の断熱床パネルユニットが、上面が同一高さ位置に設定された根太掛、大引、土台における根太掛と大引との間および大引と土台との間にそれぞれ架設され、床パネルに作用する負荷を根太および硬質断熱材を介して支持する床構造であって、洋室側の断熱床パネルユニットに敷設される床板の表面と和室側の断熱床パネルユニットに敷設される畳の表面が連続するように、和室側の断熱床パネルユニットの根太および硬質断熱材の下面両端部に切欠部が形成され、和室側の断熱床パネルユニットの根太および硬質断熱材の、切欠部が形成された下面両端部が隣接する根太掛と大引との間および大引と土台との間にそれぞれ架設されていることを特徴とする床構造。
【発明の詳細な説明】
【０００１】
【発明の属する技術分野】
この発明は、床構造に関するものである。
【０００２】
【従来の技術】
従来、家屋の床工事を行う場合、まず、基礎や大引などに所定間隔をおいて根太を固定し、これらの根太の上面に床板を敷設するようにしている。このような床工事は、現場作業であるため、熟練した作業者が必要となる他、多くの作業時間を必要とする問題があった。
【０００３】
そこで、出願人は、特開平５−７９１１１号公報に記載されるように、床工事を簡単確実に、かつ、短時間で施工することのできる床板ユニットを出願している。
【０００４】
【発明が解決しようとする課題】
しかしながら、前述した床板ユニットを用いて和室と洋室を隣接して形成する床工事を行う場合、洋室の床板の表面と和室の畳の表面とを段差なく連続して形成するためには、和室側の床板ユニットを支持する根太掛や大引あるいは土台の高さを洋室側の床板ユニットを支持する根太掛や大引あるいは土台の高さに比較して畳の厚さ分だけ低くする必要がある。このような根太掛や大引あるいは土台の高さ調整は、コンクリートの誤差などにより正確な位置決めが困難であるとともに、煩雑な作業を必要とするものである。
【０００５】
また、和室側の床板ユニットの根太の両端部を畳の厚みだけ切り欠いて加工することも考えられるが、根太の高さが低くなり、畳を介して床パネルに作用する負荷を支持することができないという問題がある。
【０００６】
本発明は、このような問題点に鑑みてなされたもので、根太掛や大引あるいは土台の高さを変えることなく、また、床パネルに作用する負荷を確実に支持して和室の畳表面と洋室の床板表面とを段差なく連続させることのできる床構造を提供するものである。
【０００７】
【課題を解決するための手段】
本発明は、床パネルと、この床パネルの裏面に所定間隔をおいて固定された複数本の根太と、床パネルと根太で区画される空間において床パネルの裏面に貼着された複数枚の硬質断熱材とから構成された洋室側の断熱床パネルユニットおよび和室側の断熱床パネルユニットが、上面が同一高さ位置に設定された根太掛、大引、土台における根太掛と大引との間および大引と土台との間にそれぞれ架設され、床パネルに作用する負荷を根太および硬質断熱材を介して支持する床構造であって、洋室側の断熱床パネルユニットに敷設される床板の表面と和室側の断熱床パネルユニットに敷設される畳の表面が連続するように、和室側の断熱床パネルユニットの根太および硬質断熱材の下面両端部に切欠部が形成され、和室側の断熱床パネルユニットの根太および硬質断熱材の、切欠部が形成された下面両端部が隣接する根太掛と大引との間および大引と土台との間にそれぞれ架設されていることを特徴とするものである。
【０００８】
【発明の実施の形態】
以下、本発明の実施例の形態を図面に基づいて説明する。
【０００９】
図１および図２には、本発明の床構造が示されており、この床構造は、外周基礎１１に取り付けられた根太掛１２と、鋼製束１３に支持された大引１４と、間仕切基礎１５に固定された土台１６と、前述した根太掛１２と大引１４との間および大引１４と土台１６との間にそれぞれ架設された洋室側の断熱床パネルユニット１と、詳細には図示しないが、土台１６を中心として洋室側に設けられた根太掛１２および大引１４と左右対称位置に設置されている根太掛１２と大引１４との間および大引１４と土台１６との間にそれぞれ架設された和室側の断熱床パネルユニット１Ａと、から構成され、これらの洋室側および和室側の根太掛１２、大引１４および土台１６の上面は、同一高さ位置に設定されている。
【００１０】
ここで、洋室側の断熱床パネルユニット１は、図３に示すように、正方形状の床パネル２と、この床パネル２の縦寸法よりもわずかに小さく設定され、床パネル２の裏面に所定間隔をおいて配設された複数本の根太３と、隣接する一対の根太３，３の内面間間隔に相当する横寸法と根太３の長さに相当する縦寸法および根太３の高さよりもわずかに小さな高さの厚板形状に形成され、隣接する一対の根太３，３の対向する内側面にそれぞれ接して、さらに、一方の最外側の根太３の外側面に接してそれぞれ床パネル２の裏面に貼着された複数枚の硬質断熱材４と、からなり、複数本の根太３の幅の和と複数枚の硬質断熱材４の幅の和との総和は、床パネル２の横寸法と略一致するように設定されている。
【００１１】
ここで、硬質断熱材４は、例えば、ポリスチレンフォームＢ類３種が使用されており、床パネル２を支持することのできる強度部材として使用され、床パネル２に作用する負荷を根太３とともに支持することができるものである。このため、床パネル２の板厚を一定とした場合、硬質断熱材を用いない場合に比較して床パネル２に撓みを発生させないための根太３のスパンを大きくすることができ、あるいは、根太３の高さを低くすることができる。
【００１２】
一方、和室側の断熱床パネルユニット１Ａは、図４に示すように、前述した洋室側の断熱床パネルユニット１と同様に、洋室側の断熱床パネルユニット１の床パネル２と同一の大きさの床パネル２と、この床パネル２の裏面に所定間隔をおいて配設された複数本の根太３Ａと、床パネル２と根太３Ａとによって区画される空間において床パネル２の裏面に貼着され、根太３Ａと協同して床パネル２に作用する負荷を支持する硬質断熱材４Ａとから構成されている。
【００１３】
ただし、和室側の断熱床パネルユニット１Ａの根太３Ａの高さは洋室側の断熱床パネルユニット１の根太３の高さよりも低く設定されている他、根太３Ａの長手方向の下面両端部には切欠部３ａ，３ａが形成されて土台１６や大引１４などに架設されるようになっている。また、硬質断熱材４Ａも根太３Ａの側面形状と同一の側面形状、すなわち、根太３Ａの高さと同一の高さを有するとともに、その下面両端部に切欠部４ａが形成されている。
【００１４】
この和室側の断熱床パネルユニット１Ａの根太３Ａおよび硬質断熱材４Ａの高さおよび切欠部３ａ，４ａは、天井高さや畳の厚みなどを考慮して設定されている。
【００１５】
ところで、洋室側の断熱床パネルユニット１あるいは和室側の断熱床パネルユニット１Ａのいずれにおいても、床パネル２の左右方向の一方の側端縁は、最外側に配設されて側面が露出されている根太３（３Ａ）の幅方向の中心線上に位置しており、また、床パネル２の前後方向の一方の端縁は、根太３（３Ａ）の長手方向の一方の端縁から一定距離おいて根太３（３Ａ）および硬質断熱材４（４Ａ）の上面に載置されて根太３（３Ａ）に釘固定されている。したがって、床パネル２の左右方向の他方の側端縁は、根太３（３Ａ）の幅方向の半分の長さだけ最外側に配設された硬質断熱材４（４Ａ）の側端縁を越えて庇状に突出されている他、床パネル２の前後方向の他方の端縁は、その一方の端縁と根太３（３Ａ）の長手方向の一方の端縁との一定距離だけ根太３（３Ａ）の長手方向の他方の端縁を越えて庇状に突出されている。
【００１６】
この結果、洋室側の断熱床パネルユニット１あるいは和室側の断熱床パネルユニット１Ａを左右方向に順に連続して配設すると、隣接する一対の断熱床パネルユニット１（１Ａ），１（１Ａ）において、一方の断熱床パネルユニット１（１Ａ）の床パネル２の左右方向に庇状に突出している部分は、その側端面が他方の断熱床パネルユニット１（１Ａ）の床パネル２の対向する側端面に突き合わされ、幅方向に半分露出された根太３（３Ａ）の上面に載置されるものである（図５参照）。また、断熱床パネルユニット１（１Ａ）を前後方向に順に連続して配設すると、隣接する一対の断熱床パネルユニット１（１Ａ），１（１Ａ）において、一方の断熱床パネルユニット１（１Ａ）の床パネル２の前後方向に庇状に突出している部分は、その端面が他方の断熱床パネルユニット１（１Ａ）の床パネル２の対向する端面に突き合わされ、露出された根太３（３Ａ）および硬質断熱材４（４Ａ）の上面に載置されるものである（図１参照）。
【００１７】
したがって、隣接する一対の断熱床パネルユニット１（１Ａ），１（１Ａ）において、一方の断熱床パネルユニット１（１Ａ）の床パネル２を他方の断熱床パネルユニット１（１Ａ）の根太３（３Ａ）に釘固定することができる。
【００１８】
このように構成した洋室側の断熱床パネルユニット１および和室側の断熱床パネルユニット１Ａは、図１に示すように、上面が同一高さ位置に設定された根太掛１２と大引１４にわたって、また、大引１４と土台１６にわたってそれぞれ架設されることにより施工される。その後、洋室の場合は床パネル２の上に床板５を敷設する一方、和室の場合は床パネル２の上に合板６を介して畳７を敷設すればよい。
【００１９】
ここで、洋室と和室を区画するため、和室側の断熱床パネルユニット１Ａの端部に敷居８が配設されており、図示しない鴨居と協同して戸などを取り付けることができるようになっている。この際、隣接する洋室側の断熱床パネルユニット１Ａの端部は、敷居８に合わせて切り欠かれている。
【００２０】
この結果、床パネル２に作用する負荷を根太３，３Ａと協同して硬質断熱材４，４Ａによって支持することができる。また、和室側の断熱床パネルユニット１Ａの根太３Ａに切欠部３ａを形成することにより、根太掛１２、大引１４および土台１６の上面を同一高さ位置に設定した状態で和室側の畳表面と洋室側の床板表面とを段差なく連続させることが可能となる。
【００２１】
なお、外周基礎１１に取り付けられた根太掛１２に架設される端部に位置する断熱床パネルユニット１（１Ａ）においては、床パネル２の、根太３（３Ａ）の長手方向にその端縁を越えて庇状に突出する部分が切除されている。
【００２２】
また、前述した実施形態においては、和室側の断熱床パネルユニット１Ａの根太３Ａの高さを洋室側の断熱床パネルユニット１の根太３の高さよりも低く設定して例示したが、洋室側の断熱床パネルユニット１の根太３の下面両端部に畳７の厚みに対応する切欠部を形成して和室側の断熱床パネルユニット１Ａとしてもよい。この場合、硬質断熱材４についても、根太３に形成された切欠部に合わせて切欠部を形成すればよい。
【００２３】
【発明の効果】
以上のように本発明によれば、根太掛、大引および土台の高さを変化させることなく、かつ、洋室側の断熱床パネルユニットの床パネルおよび和室側の断熱床パネルユニットの床パネルに作用する負荷を確実に支持して洋室の床板表面と和室の畳表面とを段差なく連続させることができる。
【図面の簡単な説明】
【図１】本発明の床構造を示す断面図である。
【図２】図１のＡ部拡大図である。
【図３】洋室側の断熱床パネルユニットを示す斜視図である。
【図４】和室側の断熱床パネルユニットを示す斜視図である。
【図５】断熱床パネルユニットを左右方向に複数枚敷設した状態を示す正面図である。
【符号の説明】
１，１Ａ  断熱床パネルユニット
２  床パネル
３，３Ａ  根太
３ａ  切欠部
４，４Ａ  硬質断熱材
４ａ  切欠部
５  床板
７  畳
１１  外周基礎
１２  根太掛
１３  鋼製束
１４  大引
１５  間仕切基礎
１６  土台
【図１】
0003621547.tif 000002
【図２】
0003621547.tif 000003
【図３】
0003621547.tif 000004
【図４】
0003621547.tif 000005
【図５】
0003621547.tif 000006